(57)【特許請求の範囲】
【請求項１】
内周側に設ける内周溝と、該内周溝を挟んで設ける一対の内周リップと、外周側に設ける外周溝と、該外周溝を挟んで設ける一対の外周リップとを備えてなり、前記各内周リップは、軸方向に突出する環状リブにより軸方向の先端を形成し、内周側の先端と前記軸方向の先端との径方向の距離Ｌ2 を前記内周溝の深さＬ1 より大きく形成するとともに、シールリングをブシュに嵌め込む際のガイド用の凹面によって前記内周側の先端と前記環状リブとの間を滑らかに接続し、前記外周溝の底部には、径方向に突出する補強リブを形成し、前記内周側の先端による最小内径Ｄ1 、チェーンのピン、ブシュの各外径Ｄp 、Ｄb 、ブシュの内周面からブシュの先端のリング状の平坦面の外径までの距離Ｌb として、Ｄp ＋２Ｌb ≦Ｄ1 ＜Ｄb ＜Ｄ1 ＋２Ｌ2 に設定することを特徴とするチェーン用のシールリング。
【請求項２】
内周側に設ける内周溝と、該内周溝を挟んで設ける一対の内周リップと、外周側に設ける外周溝と、該外周溝を挟んで設ける一対の外周リップとを備えてなり、前記各内周リップは、軸方向に突出する環状リブにより軸方向の先端を形成するとともに、内周側の先端と前記軸方向の先端との径方向の距離を前記内周溝の深さより大きく形成し、前記外周溝の底部には、径方向に突出する補強リブを形成し、前記内周リップ、外周リップの各軸方向の先端間には、軸方向に開口する中間溝を形成し、該中間溝には、開口側の半部を拡幅する段部を形成することを特徴とするチェーン用のシールリング。
【請求項３】
ピンとブシュとを介して屈曲自在に連結する各一対の外リンクプレート、内リンクプレートと、前記ブシュを介して前記内リンクプレートの間に回転自在に装着するローラと、前記内リンクプレートの外側に突出する前記ブシュの先端部を介して前記各外リンクプレート、内リンクプレートの間に介装する請求項１または請求項２記載のチェーン用のシールリングとを備えてなり、該シールリングは、少なくとも一方の前記内周リップが前記ブシュの外周面上にシールを形成し、前記外周リップと前記環状リブとが前記外リンクプレート、内リンクプレートの表面上にシールを形成することを特徴とするローラチェーン。
【発明の詳細な説明】
【技術分野】
【０００１】
この発明は、チェーンの屈曲抵抗を過大にすることなく、シール性、耐久性を向上させることができるチェーン用のシールリングと、それを使用するローラチェーンに関する。
【背景技術】
【０００２】
注油を必要としない無注油のローラチェーンは、ピンと、ピンに装着するブシュとの間に封入するオイルの漏出を防ぐために、シールリングが組み込まれている。
【０００３】
従来のシールリングは、いわゆるＸリングが普通であって、上下左右対称のＸ字状の断面形状を有する。これに対し、内周側のシールリップの軸方向の圧縮強度が外周側のシールリップのそれより格段に大きくなるように、内周側、外周側の各シールリップの形状を非対称に形成することが知られている（特許文献１）。このようなシールリングは、外周側のシールリップが形成する大径のシールの摩擦抵抗を小さくすることができるため、チェーンの屈曲抵抗を小さく抑えるとともに、シールリングの耐久性を向上させることができる。
【先行技術文献】
【特許文献】
【０００４】
【特許文献１】特許第４３１７３５８号公報
【発明の概要】
【発明が解決しようとする課題】
【０００５】
かかる従来技術によるときは、以前に使用されていたＸリングに比して、チェーンに対する組込みの容易性や、チェーンの低屈曲抵抗性、耐久性などを向上させることができた。しかし、近年、チェーンの使用環境が一層苛酷になっており、シールリングを含むチェーンの更なる性能向上の要求が高まっている。
【０００６】
そこで、この発明の目的は、かかる実情に鑑み、従来の良好な性能を維持しつつ、シール性、耐久性をさらに向上させることができるチェーン用のシールリングと、それを使用するローラチェーンを提供することにある。
【課題を解決するための手段】
【０００７】
かかる目的を達成するための請求項１の発明の構成は、内周側に設ける内周溝と、内周溝を挟んで設ける一対の内周リップと、外周側に設ける外周溝と、外周溝を挟んで設ける一対の外周リップとを備えてなり、各内周リップは、軸方向に突出する環状リブにより軸方向の先端を形成し、内周側の先端と軸方向の先端との径方向の距離Ｌ2 を内周溝の深さＬ1 より大きく形成するとともに、シールリングをブシュに嵌め込む際のガイド用の凹面によって内周側の先端と環状リブとの間を滑らかに接続し、外周溝の底部には、径方向に突出する補強リブを形成し、内周側の先端による最小内径Ｄ1 、チェーンのピン、ブシュの各外径Ｄp 、Ｄb 、ブシュの内周面からブシュの先端のリング状の平坦面の外径までの距離Ｌb として、Ｄp ＋２Ｌb ≦Ｄ1 ＜Ｄb ＜Ｄ1 ＋２Ｌ2 に設定することをその要旨とする。
【０００８】
請求項２の発明の構成は、内周側に設ける内周溝と、内周溝を挟んで設ける一対の内周リップと、外周側に設ける外周溝と、外周溝を挟んで設ける一対の外周リップとを備えてなり、各内周リップは、軸方向に突出する環状リブにより軸方向の先端を形成するとともに、内周側の先端と軸方向の先端との径方向の距離を内周溝の深さより大きく形成し、外周溝の底部には、径方向に突出する補強リブを形成し、内周リップ、外周リップの各軸方向の先端間には、軸方向に開口する中間溝を形成し、中間溝には、開口側の半部を拡幅する段部を形成することをその要旨とする。
【００１０】
請求項３の発明の構成は、ピンとブシュとを介して屈曲自在に連結する各一対の外リンクプレート、内リンクプレートと、ブシュを介して内リンクプレートの間に回転自在に装着するローラと、内リンクプレートの外側に突出するブシュの先端部を介して各外リンクプレート、内リンクプレートの間に介装する請求項１または請求項２のチェーン用のシールリングとを備えてなり、シールリングは、少なくとも一方の内周リップがブシュの外周面上にシールを形成し、外周リップと環状リブとが外リンクプレート、内リンクプレートの表面上にシールを形成することをその要旨とする。
【発明の効果】
【００１１】
かかる請求項１、２の発明の構成によるときは、シールリングをローラチェーンに適正に組み込むと、少なくとも一方の内周リップは、ブシュの外周面上にシールを形成し、各環状リブ、外周リップは、対応する外リンクプレートまたは内リンクプレートの表面上にそれぞれシールを形成する。このとき、軸方向に圧縮される内周リップ上の環状リブは、外リンクプレートまたは内リンクプレートの表面との接触面積が小さいため、軸方向の圧縮強度が小さく、シール圧力を大きくして良好なシール性を実現することができる。なお、内周リップは、実質的に軸方向に圧縮する必要がないため、軸方向の圧縮強度が大きくてもよく、外周リップは、外周溝に向けて互いに近付く方向に弾性変形するため、軸方向の圧縮強度が十分小さい。したがって、環状リブ、外周リップによるシールの摩擦抵抗が十分小さく、それに起因するチェーンの屈曲抵抗を小さく抑えることができ、シールリングの耐久性を向上させることができる。
【００１２】
各内周リップは、内周側の先端と軸方向の先端との径方向の距離を内周溝の深さより大きくすることにより、剛性を大きくして軸方向の圧縮強度を大きくするとともに、環状リブを含む軸方向の先端間の距離を必要最小に抑えることができる。なお、内周リップの間の内周溝は、ブシュの外周面との間にオイル溜りを形成する。また、外周溝の底部に設ける補強リブは、チェーンの屈曲に際して生じる内リンクプレート、外リンクプレートの相対回転に起因する剪断力に対する強度を増大し、シールリングの耐久性を一層向上させる。ただし、補強リブは、外周溝の両側の外周リップが互いに近付く方向に弾性変形することを妨げないように、外周溝の深さより低くすることが好ましい。
【００１３】
なお、シールリングは、全体として均一な断面形状のリング状に一体成形する。また、シールリングの材料は、ニトリルゴム、水素化ニトリルゴム、ふっ素ゴムなどの合成ゴム材が好ましく、温度条件を含む使用条件によって適宜選択することができる。
【００１４】
各内周リップの内周側の先端と環状リブとの間を滑らかに接続する凹面は、シールリングをブシュに嵌め込む際に、シールリングをブシュの中心に適切にガイドするとともに、ブシュとの摩擦を低減し、有害な捻れの発生を防止する。
【００１５】
それぞれの中心線が互いに直交するように内周リップ、外周リップを配置すれば、径方向の断面寸法を必要最小に抑え、小形のチェーンに対する適応性を大きくすることができる。
【００１６】
中間溝に段部を設けると、外周溝に向けて外周リップが弾性変形し易くなる上、中間溝の断面積が大きくなり、グリース溜めとしての容量を増大させることができる。
【００１７】
請求項３の発明の構成によるときは、シールリングは、少なくとも一方の内周リップがブシュの外周面上にシールを形成し、各環状リブ、外周リップが外リンクプレート、内リンクプレートの表面上にシールを形成することにより、チェーンの屈曲抵抗を過大にすることなく、ピンとブシュとの間に封入されているオイルの漏出を有効に防止することができる。また、内周リップの軸方向の先端間の距離を小さくし、チェーンの全体強度を向上させることができる。
【図面の簡単な説明】
【００１８】
【図１】ローラチェーンの要部拡大断面図
【図２】シールリングの要部拡大断面図
【図３】シールリングの組立状態説明図
【図４】シールリングの使用状態説明図
【図５】他の実施の形態を示す図２相当図
【発明を実施するための形態】
【００１９】
以下、図面を以って発明の実施の形態を説明する。
【００２０】
ローラチェーンは、ピン２１、ブシュ２２を介して各一対の外リンクプレート２３、２３、内リンクプレート２４、２４を屈曲自在に連結してなる（図１）。ただし、図１は、特定のピン２１による連結部分の模式断面図であり、ローラチェーンは、等ピッチに配設するピン２１、２１…を介し、多数組の外リンクプレート２３、２３…、内リンクプレート２４、２４…が図１の左右方向に連続的に連鎖されている。
【００２１】
ピン２１には、ブシュ２２が相対回転自在に装着されている。ピン２１の両端は、それぞれ外リンクプレート２３のピン孔２３ａに挿入してかしめ付けられており、ブシュ２２の両端は、それぞれ内リンクプレート２４のピン孔２４ａに圧入されている。ピン２１の両端、ブシュ２２の両端は、それぞれ外リンクプレート２３、内リンクプレート２４の外側にまで突出しており、ブシュ２２には、内リンクプレート２４、２４の間にローラ２５が相対回転自在に装着されている。
【００２２】
ピン２１の両端部の外リンクプレート２３、２３、内リンクプレート２４、２４の間には、それぞれ内リンクプレート２４の外側に突出するブシュ２２の先端部を介してシールリング１０が介装されている。各シールリング１０は、外リンクプレート２３、内リンクプレート２４により軸方向に圧縮されて弾性変形し、外リンクプレート２３、内リンクプレート２４の各表面上にシールを形成するとともに、内リンクプレート２４の外側のブシュ２２の外周面上にもシールを形成し、ピン２１、ブシュ２２の間に封入されるオイルの漏出を防止する。
【００２３】
シールリング１０の自由形状を図２に示す。
【００２４】
シールリング１０は、内周側に設ける滑らかな凹形状の内周溝１１と、内周溝１１を挟んで左右対称に設ける一対の内周リップ１２、１２と、外周側に設ける滑らかな凹形状の外周溝１３と、外周溝１３を挟んで左右対称に設ける一対の外周リップ１４、１４とを備えている。なお、ここでいう左右対称とは、軸Ｃに直交し、内周リップ１２、１２の内周側の先端１２ｃ、１２ｃの中間を通る仮想平面ＰＬに関して対称であることをいう。内周リップ１２、１２、外周リップ１４、１４は、それぞれの中心線ＣＬ2 、ＣＬ4 が仮想平面ＰＬ上の１点において互いに直交する一直線になるように配置されている。ただし、各内周リップ１２、外周リップ１４は、それぞれの中心線ＣＬ2 、ＣＬ4 が一直線とならなくてもよく、仮想平面ＰＬ上の一点で交わらなくてもよい。
【００２５】
各内周リップ１２は、内向きに滑らかな凸形状の内周側の先端１２ｃを有し、軸Ｃ方向に突出する環状リブ１２ａにより軸Ｃ方向の先端１２ｂを形成している。環状リブ１２ａによる先端１２ｂは、断面円弧状の山形に形成されており、先端１２ｂは、曲率半径０．１〜０．２mmとすれば、シール性と成形性の面で好適である。各内周リップ１２は、内周側の先端１２ｃと軸Ｃ方向の先端１２ｂとの径方向の距離Ｌ2 を内周溝１１の深さＬ1 に対してＬ2 ＞Ｌ1 とし、先端１２ｃと環状リブ１２ａとの間を凹面１２ｄによって滑らかに接続している。
【００２６】
各外周リップ１４は、軸Ｃ方向の先端１４ａを有し、断面円弧状の山形に形成されている先端１４ａは、曲率半径０．１〜０．２mmとすれば、シール性と成形性の面で好適である。また、各外周リップ１４の先端１４ａの外周側は、径方向に対して傾き角θb ＜４５°の斜面１４ｂに形成され、各斜面１４ｂは、滑らかな外向きの凸形状となって外周溝１３に接続されている。なお、外周溝１３の底部には、径方向に突出する環状の補強リブ１６が仮想平面ＰＬ上に形成されている。補強リブ１６は、左右対称の滑らかな山形に形成され、外周溝１３の深さＬ3 に対し、高さＬ6 ＜Ｌ3 に形成されている。
【００２７】
内周リップ１２、１２の軸Ｃ方向の先端１２ｂ、１２ｂ間の距離Ｈ1 は、外周リップ１４、１４の軸Ｃ方向の先端１４ａ、１４ａ間の距離Ｈ3 に対し、Ｈ1 ≦Ｈ3 となっている。ただし、図２において、Ｈ1 ＝Ｈ3 として図示されている。
【００２８】
各内周リップ１２の軸Ｃ方向の先端１２ｂと、各外周リップ１４の軸Ｃ方向の先端１４ａとの間には、軸Ｃ方向に開口する凹形状の中間溝１５が形成されている。なお、中間溝１５、１５は、仮想平面ＰＬに対して左右対称の一対として形成されている。各中間溝１５の内周側、外周側には、それぞれ中間溝１５の開口側の半部を拡幅する段部１５ａ、１５ｂが対称形に形成されている。段部１５ａ、１５ｂを含む中間溝１５の内面は、全部滑らかに接続されている。
【００２９】
シールリング１０は、内周リップ１２、１２の内周側の先端１２ｃ、１２ｃによる最小内径Ｄ1 、ピン２１の外径Ｄp 、ブシュ２２の外径Ｄb 、ブシュ２２の内周面からブシュ２２の先端のリング状の平坦面２２ａの外径までの径方向の距離Ｌb として、Ｄp ＋２Ｌb ≦Ｄ1 ＜Ｄb ＜Ｄ1 ＋２Ｌ2 が成立するように、関係寸法が設定されている（図１、図３）。ただし、ブシュ２２の両端は、それぞれ内周面側に微少な面取りが施され、外周面側が適切な曲率半径に滑らかに丸められている。また、図３において、距離Ｌb は、Ｄp ＋２Ｌb ＜Ｄ1 に図示されている。
【００３０】
シールリング１０は、全長を引き伸ばすようにしてブシュ２２の先端に嵌め込むことができ（図３の矢印Ａ方向）、このとき、シールリング１０のブシュ２２側の凹面１２ｄは、シールリング１０を適切にガイドしてブシュ２２の中心に自動的に心合せする。なお、ブシュ２２に嵌め込んだシールリング１０の内周側には、ブシュ２２に嵌め込む前の深さＬ1 より浅く内周溝１１が残存するものとする。
【００３１】
各シールリング１０は、ローラチェーンに正規に組み込まれると、外リンクプレート２３、内リンクプレート２４に挟まれ、軸Ｃ方向に圧縮されて弾性変形する（図１、図４）。このとき、内周リップ１２、１２の内周側の先端１２ｃ、１２ｃは、ブシュ２２の外周面上に弾発的に当接して二重のシールを形成する。また、環状リブ１２ａによる一方の内周リップ１２の軸Ｃ方向の先端１２ｂ、外周リップ１４の軸Ｃ方向の先端１４ａは、外リンクプレート２３の表面上に弾発的に当接して小径、大径の二重のシールを形成し、他方の先端１２ｂ、１４ａは、内リンクプレート２４の表面に当接して二重のシールを形成する。ただし、図４において、環状リブ１２ａ、１２ａは、いずれも軸Ｃ方向に圧縮されて消失している。
【００３２】
また、シールリング１０は、中間溝１５、１５間の距離Ｂが外リンクプレート２３、内リンクプレート２４の間隔Ｓより小さく、各中間溝１５内の段部１５ａ、１５ｂが消失しない限度において軸Ｃ方向に圧縮するものとし、したがって、中間溝１５、１５は、それぞれ外リンクプレート２３または内リンクプレート２４の表面上の二重のシール間にオイル溜りを形成する。また、内周リップ１２、１２の間の内周溝１１も、ブシュ２２の外周面上の二重のシール間にオイル溜りを形成する。
【００３３】
内周リップ１２、１２は、外周リップ１４、１４に比して、十分大きな剛性に形成されている（図２）。なお、外周リップ１４、１４は、図４のように、それぞれ中間溝１５の外周側に段部１５ｂが形成されていることと相俟って外周溝１３に向けて容易に傾き、互いに近付くように弾性変形する。各外周リップ１４は、外周溝１３に向けて傾くと、外周側の斜面１４ｂの傾き角θが大きくなり、外部からのダストの侵入を防止するとともに、付着したダストを外部に落とし易い。
【００３４】
シールリング１０は、軸Ｃ方向に圧縮し易い環状リブ１２ａ、１２ａを設けることによって、従来品の組込み性、低屈曲抵抗性などを維持しつつシール性、耐久性を向上させることができる。また、シールリング１０を装着するための外リンクプレート２３、内リンクプレート２４の間隔Ｓを従来品より１０％以上小さくし、ローラチェーン自体の強度を高めることができる。
【他の実施の形態】
【００３５】
各中間溝１５内の段部１５ａ、１５ｂは、これらを省略してもよい（図５）。なお、図５において、中間溝１５の外周側は、外周リップ１４の中心線ＣＬ4 と略平行とし、内周側より長い緩斜面とすることにより、外周リップ１４が外周溝１３に向けて傾き易くなっている。
【００３６】
各環状リブ１２ａは、軸Ｃ方向に圧縮し易く、外リンクプレート２３または内リンクプレート２４に対する接触面積が小さく、良好なシール性を実現し得ることなどを条件として、断面円弧状の山形以外の断面形状としてもよい。また、シールリング１０は、内リンクプレート２４側の一方の内周リップ１２の内周側の先端１２ｃだけをブシュ２２の外周面上に当接させ、ブシュ２２の外周面上に一重のシールを形成してもよい。すなわち、内周リップ１２、１２は、少なくとも一方がブシュ２２の外周面上にシールを形成すればよい。
【００３７】
なお、シールリング１０の材料は、ブタジエンゴム、スチレン−ブタジエンゴム、イソプレンゴム、エチレン−プロピレンゴム、ブチルゴム、クロロプレンゴム、アクリルゴム、ウレタンゴム、シリコーンゴム、多硫化ゴム、ポリエーテルゴム、クロロスルホン化ポリエチレンゴムなどの合成ゴム材も使用可能である。
【産業上の利用可能性】
【００３８】
この発明は、たとえばバイクの走行用チェーンのような苛酷な使用条件のローラチェーンに対し、特に好適に適用することができる。
【符号の説明】
【００３９】
Ｃ…軸
ＣＬ2 、ＣＬ4 …中心線
Ｌ1 …深さ
Ｌ2 …距離
１０…シールリング
１１…内周溝
１２…内周リップ
１２ａ…環状リブ
１２ｂ、１２ｃ…先端
１２ｄ…凹面
１３…外周溝
１４…外周リップ
１５…中間溝
１５ａ、１５ｂ…段部
１６…補強リブ
２１…ピン
２２…ブシュ
２３…外リンクプレート
２４…内リンクプレート
２５…ローラ
特許出願人      株式会社  江沼チヱン製作所
【図１】
0005788224.tif 000002
【図２】
0005788224.tif 000003
【図３】
0005788224.tif 000004
【図４】
0005788224.tif 000005
【図５】
0005788224.tif 000006